【手続補正書】
【提出日】平成18年9月15日(2006.9.15)
【手続補正１】
【補正対象書類名】特許請求の範囲
【補正対象項目名】全文
【補正方法】変更
【補正の内容】
【特許請求の範囲】
【請求項１】
式Ｉ
−［（Ａ）ａ−（Ｂ）ｂ−（Ｃ）ｃ−（Ｄ）ｄ］ｎ−                Ｉ
で表されるモノマー、オリゴマーまたはポリマーであって、
式中、
ＡおよびＣは、相互に独立して、式ＩＩ
【化１】
2004115794.tif 000001
式中、Ｒ１は、それぞれの存在が相互に独立して、Ｈ、ハロゲン、炭素原子を１〜２０個有する直鎖状、分枝状または環状アルキルであって、無置換、またはＦ、Ｃｌ、Ｂｒ、ＩもしくはＣＮにより単置換もしくは多置換されており、これらの基中の１または２個以上の隣接しないＣＨ２基は、任意にそれぞれ相互に独立して、ＯおよびまたはＳ原子が相互に直接的に連結しないものとして、−Ｏ−、−Ｓ−、−ＮＨ−、−ＮＲ０−、−ＳｉＲ０Ｒ００−、−ＣＯ−、−ＣＯＯ−、−ＯＣＯ−、−ＯＣＯ−Ｏ−、−ＳＯ２−、−Ｓ−ＣＯ−、−ＣＯ−Ｓ−、−ＣＨ＝ＣＨ−または−Ｃ≡Ｃ−により置き換えられ、あるいは任意に置換アリールまたはヘテロアリールまたはＰ−Ｓｐ−を意味し、
Ｒ２は、Ｒ１の意味の１つを有し、または−Ｃ≡Ｃ−Ｒ３を意味し、
Ｒ３は、Ｒ１の意味の１つを有し、
Ｒ０およびＲ００は、相互に独立して、Ｈ、炭素原子１〜１２個を有するアルキルであり、
Ｐは、重合可能または反応性基であり、
Ｓｐは、スペーサー基または単結合である、
で表される基を意味し、
ＢおよびＤは、相互に独立して、−ＣＸ１＝ＣＸ２−、−Ｃ≡Ｃ−または任意に置換されたアリーレンもしくはヘテロアリーレンであり、
Ｘ１およびＸ２は、相互に独立してＨ、Ｆ、ＣｌまたはＣＮであり、
ａ、ｂ、ｃ、ｄは、相互に独立して０または１であって、ａ＋ｂ＋ｃ＋ｄ＞０を満たし、および少なくとも１つの繰り返し単位［（Ａ）ａ−（Ｂ）ｂ−（Ｃ）ｃ−（Ｄ）ｄ］において、ａおよびｃの少なくとも１つが１であり、および
ｎは１以上の整数であり、
および繰り返し単位［（Ａ）ａ−（Ｂ）ｂ−（Ｃ）ｃ−（Ｄ）ｄ］は、同一でも異なっていてもよい、前記モノマー、オリゴマーおよびポリマー。
【請求項２】
式Ｉ１
Ｒ４−［（Ａ）ａ−（Ｂ）ｂ−（Ｃ）ｃ−（Ｄ）ｄ］ｎ−Ｒ５          Ｉ１
式中、Ａ、Ｂ、Ｃ、Ｄ、ａ、ｂ、ｃ、ｄおよびｎは、式Ｉにおいて定義されたとおりであり、
Ｒ４およびＲ５は、それぞれ独立してＲ１の意味の１つを有し、またはＢ（ＯＲ’）（ＯＲ’’）またはＳｎＲ０Ｒ００Ｒ０００を意味し、
Ｒ０−０００は、相互に独立して、Ｈ、炭素原子１〜１２個を有するアルキルであり、
Ｒ’およびＲ’’は、相互に独立して、Ｈ、炭素原子１〜１２個を有するアルキル、またはＯＲ’およびＯＲ’’はホウ素原子とともに炭素原子２〜１０個を有する環状基を形成する、
で表される、請求項１に記載のモノマー、オリゴマーまたはポリマー。
【請求項３】
ｎが１〜５０００の整数である、請求項１または２に記載のモノマー、オリゴマーまたはポリマー。
【請求項４】
Ｒ１、Ｒ２および／またはＲ３が、任意に１種または２種以上のフッ素原子で置換されたＣ１−Ｃ２０−アルキル、Ｃ２−Ｃ２０−アルケニル、Ｃ２−Ｃ２０−アルキニル、Ｃ１−Ｃ２０−アルコキシ、Ｃ２−Ｃ２０−チオエーテル、Ｃ１−Ｃ２０−シリル、Ｃ１−Ｃ２０−エステル、Ｃ１−Ｃ２０−アミノ、Ｃ１−Ｃ２０−フルオロアルキル、または任意に置換されたアリールもしくはヘテロアリールから選択される、請求項１〜３のいずれかに記載のモノマー、オリゴマーまたはポリマー。
【請求項５】
Ｒ２が−Ｃ≡Ｃ−Ｒ３であり、Ｒ１およびＲ３が、式Ｉで定義したものと同一の基である、請求項４に記載のモノマー、オリゴマーまたはポリマー。
【請求項６】
ｎが１〜１５の整数であり、Ｒ４およびＲ５の１つまたは両方が、Ｐ−Ｓｐ−を意味する、請求項２〜５のいずれかに記載のモノマー、オリゴマーまたはポリマー。
【請求項７】
Ｐが、ＣＨ２＝ＣＷ１−ＣＯＯ−、
【化２】
2004115794.tif 000002
、ＣＨ２＝ＣＷ２−（Ｏ）ｋ１−、ＣＨ３−ＣＨ＝ＣＨ−Ｏ−、（ＣＨ２＝ＣＨ）２ＣＨ−ＯＣＯ−、（ＣＨ２＝ＣＨ−ＣＨ２）２ＣＨ−ＯＣＯ−、（ＣＨ２＝ＣＨ）２ＣＨ−Ｏ−、（ＣＨ２＝ＣＨ−ＣＨ２）２Ｎ−、ＨＯ−ＣＷ２Ｗ３−、ＨＳ−ＣＷ２Ｗ３−、ＨＷ２Ｎ−、ＨＯ−ＣＷ２Ｗ３−ＮＨ−、ＣＨ２＝ＣＷ１−ＣＯ−ＮＨ−、ＣＨ２＝ＣＨ−（ＣＯＯ）ｋ１−Ｐｈｅ−（Ｏ）ｋ２−、Ｐｈｅ−ＣＨ＝ＣＨ−、ＨＯＯＣ−、ＯＣＮ−およびＷ４Ｗ５Ｗ６Ｓｉ−から選択され、ここでＷ１はＨ、Ｃｌ、ＣＮ、フェニル、または炭素原子を１〜５個有するアルキルであり、特にＨ、ＣｌまたはＣＨ３ であり、Ｗ２およびＷ３は相互に独立してＨまたは炭素原子を１〜５個有するアルキルであり、特にメチル、エチルまたはｎ−プロピルであり、Ｗ４、Ｗ５およびＷ６は相互に独立してＣｌ、または炭素原子を１〜５個有するオキサアルキルもしくはオキサカルボニルアルキルであり、Ｐｈｅは１，４−フェニレンでありならびにｋ１およびｋ２は相互に独立して０または１である、請求項１〜６のいずれかに記載のモノマー、オリゴマーまたはポリマー。
【請求項８】
以下の式
【化３】
2004115794.tif 000003
【化４】
2004115794.tif 000004
式中、Ｒ１、Ｒ３、Ｘ１およびＸ２は、式Ｉにおいて与えられた意味を有し、Ａｒは、それぞれ任意に、式Ｉで定義される１種または２種以上のＲ１により置換される、アリーレンまたはヘテロアリーレンであり、およびｎは１〜５０００の整数である、
で表されるものから選択される、請求項１〜７のいずれかに記載のモノマー、オリゴマーまたはポリマー。
【請求項９】
ｎが２〜５０００の整数である、請求項１〜５、７および８のいずれかに記載のオリゴマーまたはポリマー。
【請求項１０】
９０〜１００％の部位規則性を有することを特徴とする、請求項１〜９のいずれかに記載のポリマー。
【請求項１１】
少なくとも１つの重合可能な基を含む請求項１〜１０のいずれかに記載のモノマー、オリゴマーまたはポリマーの１種または２種以上を含み、および任意に１種または２種以上の重合可能な化合物をさらに含み、請求項１〜１０のいずれかに記載の重合可能なモノマー、オリゴマーまたはポリマーおよび／または前記さらなる重合可能な化合物がメソゲン性または液晶である、重合可能な液晶材料。
【請求項１２】
請求項１１に記載の重合可能な液晶材料から得られる電荷移動特性を有する異方性ポリマー膜であって、その液晶相で、巨視的に均一配向に配列し、配向状態を固定するために重合または架橋された、前記ポリマー膜。
【請求項１３】
任意に１種または２種以上の追加のメソゲンもしくは非メソゲンコモノマーとともに、請求項１〜１１のいずれかに記載の１種もしくは２種以上のモノマーもしくはオリゴマーもしくは重合可能な材料の重合により、または請求項１〜１１のいずれかに記載のモノマーもしくはオリゴマーもしくは重合可能な材料の、ポリマー主鎖への重合類似反応でのグラフトにより得られる、側鎖液晶ポリマー。
【請求項１４】
請求項１〜１３のいずれかに記載のモノマー、オリゴマーまたはポリマ−、重合可能な材料またはポリマー膜の使用であって、半導体または電荷移動材料、特に、例えば集積回路部品、例えばフラットパネルディスプレイ用途もしくは電波方式認識（ＲＦＩＤ）タグなどの薄膜トランジスタ用の電界効果トランジスタ（ＦＥＴ）などの光学、電気工学もしくは電子装置、またはエレクトロルミネッセントディスプレイもしくは、たとえば液晶ディスプレイのバックライトなどの有機発光ダイオード（ＯＬＥＤ）用の半導体部品、光起電もしくはセンサーデバイス、バッテリーの電極材料、光導電体および電子写真記録などの電子写真用途への前記使用。
【請求項１５】
請求項１〜１３のいずれかに記載の、１種または２種以上のモノマー、オリゴマーまたはポリマー、重合可能な材料またはポリマー膜を含む電界効果トランジスタであって、たとえば集積回路部品、フラットパネルディスプレイ用途、または電波方式認識（ＲＦＩＤ）タグ用の薄膜トランジスタである、前記電界効果トランジスタ。
【請求項１６】
請求項１〜１３のいずれかに記載の１もしくは２以上のモノマー、オリゴマーまたはポリマー、重合可能な材料またはポリマー膜、または請求項１５に記載のＦＥＴもしくはＲＦＩＤタグを含む、セキュリティマーキングもしくはデバイス。
【請求項１７】
酸化的または還元的にドーピングされて、導電性のイオン性種を形成する、請求項１〜１３のいずれかに記載のモノマー、オリゴマーまたはポリマー、材料またはポリマー膜。
【請求項１８】
請求項１７に記載のモノマー、オリゴマーまたはポリマー、材料またはポリマー膜を含む、電子用途またはフラットパネルディスプレイ用の、電荷注入層、平坦化層、帯電防止膜、導電性基板またはパターン。
【手続補正２】
【補正対象書類名】明細書
【補正対象項目名】００１０
【補正方法】変更
【補正の内容】
【００１０】
さらにまた、アルキル置換基（Ｒ）は、新規なポリマー（１）を可溶化し、結晶化を促進するために組み込むことができ、およびそれらを容易に溶解処理させる。溶解処理は、真空蒸着処理より、潜在的に経済的でかつ迅速な技術であるという利点を有する。さらにまた、合成経路は、高い部位規則性の材料を生ずるものであり、高いキャリア移動度を導く、充填密度を改善し、および微構造を最適化することを示した（上記文献参照）。
【手続補正３】
【補正対象書類名】明細書
【補正対象項目名】００２７
【補正方法】変更
【補正の内容】
【００２７】
特に好ましいのは、式ＩＩで表される基の少なくとも１種および重合または架橋反応を行うことができる少なくとも１つの反応性基を含む、モノマー、オリゴおよびポリマーである。
さらに好ましいのは、メソゲンまたは液晶である、式ＩＩで表される基の少なくとも１種を含む、モノマー、オリゴおよびポリマーであり、特にカラミティック相を形成する式Ｉまたは式Ｉ１で表されるポリマーであり、およびカラミティック相を形成する１または２種以上のＰ−Ｓｐ−Ｘ基を含む式Ｉまたは式Ｉ１で表される反応性メソゲンである。
【手続補正４】
【補正対象書類名】明細書
【補正対象項目名】００２９
【補正方法】変更
【補正の内容】
【００２９】
さらに好ましいのは、１又は２以上の繰り返し単位［（Ａ）ａ−（Ｂ）ｂ−（Ｃ）ｃ−（Ｄ）ｄ］を含む、モノマー、オリゴマーまたはポリマーであり、式中、ａ＝１およびｂ＝ｃ＝ｄ＝０であり、非常に好ましくはもっぱらそのような繰り返し単位のみからなる。
さらに好ましいのは、１又は２以上の繰り返し単位［（Ａ）ａ−（Ｂ）ｂ−（Ｃ）ｃ−（Ｄ）ｄ］を含む、モノマー、オリゴマーまたはポリマーであり、式中、ｂ＝ｃ＝ｄ＝１およびａ＝０であり、非常に好ましくはもっぱらそのような繰り返し単位のみからなる。
さらに好ましいのは、１又は２以上の繰り返し単位［（Ａ）ａ−（Ｂ）ｂ−（Ｃ）ｃ−（Ｄ）ｄ］を含む、モノマー、オリゴマーまたはポリマーであり、式中、ａ＝ｂ＝１およびｃ＝ｄ＝０であり、非常に好ましくはもっぱらそのような繰り返し単位のみからなる。
【手続補正５】
【補正対象書類名】明細書
【補正対象項目名】００３０
【補正方法】変更
【補正の内容】
【００３０】
さらに好ましいのは、式ＩおよびＩ１で表されるモノマー、オリゴマーおよびポリマーであり、式中
−ｎは１〜５０００の整数であり、
−ｎは２〜５０００の整数であり、特に２０〜１０００であり、
−ｎは２〜５の整数であり、
−ｎは２であり、ならびにＲ４およびＲ５の１つまたは両方が、Ｐ−Ｓｐ−を意味し、
−ｎは１〜１５の整数であり、ならびにＲ４およびＲ５の１つまたは両方が、Ｐ−Ｓｐ−を意味し、
【手続補正６】
【補正対象書類名】明細書
【補正対象項目名】００３１
【補正方法】変更
【補正の内容】
【００３１】
−ｎは２〜５０００の整数であり、ならびにＲ４およびＲ５はＰ−Ｓｐ−ではなく、
−分子量は５０００〜１０００００であり、
−Ｒ２はＨであり、
−Ｒ２は−Ｃ≡Ｃ−Ｒ３であり、ならびにＲ１およびＲ３は同一であり、
−Ｒ１、Ｒ２および／またはＲ３は、任意に１種または２種以上のフッ素原子で置換されるＣ１−Ｃ２０−アルキル、Ｃ２−Ｃ２０−アルケニル、Ｃ２−Ｃ２０−アルキニル、Ｃ１−Ｃ２０−アルコキシ、Ｃ２−Ｃ２０−チオエーテル、Ｃ１−Ｃ２０−シリル、Ｃ１−Ｃ２０−エステル、Ｃ１−Ｃ２０−アミノ、Ｃ１−Ｃ２０−フルオロアルキル、または任意に置換されたアリールもしくはヘテロアリールから選択され、特にＣ１−Ｃ２０−アルキルまたはＣ１−Ｃ２０−フルオロアルキルであり、
【手続補正７】
【補正対象書類名】明細書
【補正対象項目名】００３２
【補正方法】変更
【補正の内容】
【００３２】
−Ｒ４およびＲ５は、任意に１種または２種以上のフッ素原子で置換されるＣ１−Ｃ２０−アルキル、Ｃ２−Ｃ２０−アルケニル、Ｃ２−Ｃ２０−アルキニル、Ｃ１−Ｃ２０−アルコキシ、Ｃ１−Ｃ２０−チオアルキル、Ｃ１−Ｃ２０−シリル、Ｃ１−Ｃ２０−エステル、Ｃ１−Ｃ２０−アミノ、Ｃ１−Ｃ２０−フルオロアルキル、または任意に置換されたアリールもしくはヘテロアリールから選択され、
−ＢおよびＤは、−ＣＸ１＝ＣＸ２−または−Ｃ≡Ｃ−であり、
−少なくとも１つの繰り返し単位［（Ａ）ａ−（Ｂ）ｂ−（Ｃ）ｃ−（Ｄ）ｄ］中、ａ＝ｂ＝ｃ＝１およびｄ＝０であり、およびＢはアリーレンまたはヘテロアリーレンまたは−ＣＸ１＝ＣＸ２−または−Ｃ≡Ｃ−であり、
−ｎ＞１である。
【手続補正８】
【補正対象書類名】明細書
【補正対象項目名】００３６
【補正方法】変更
【補正の内容】
【００３６】
式中、Ｒ１、Ｒ３、Ｘ１およびＸ２は、上記で与えられた意味を有し、Ａｒはそれぞれ任意に式Ｉで定義される１または２以上のＲ１により置換される、アリーレンまたはヘテロアリーレンであり、およびｎは１〜５０００の整数である。
殊に好ましいのは、式ＩまたはＩ１で表される部位規則性のポリマーであり、特に式ＩＩまたは上記で示す好ましい式で表される繰り返し単位を含む部位規則性ホモポリマーであり、非常に好ましくは式Ｉａで表される全体が部位規則性のポリ（３−アルキニルチオフェン）である。これらのポリマーの部位規則性は、好ましくは少なくとも９０％であり、特に９５％またはそれ以上、非常に好ましくは９８％又はそれ以上、最も好ましくは９９〜１００％である。
【手続補正９】
【補正対象書類名】明細書
【補正対象項目名】００３７
【補正方法】変更
【補正の内容】
【００３７】
ｎが２〜５０００の整数であり、特に２０〜１０００であり、Ｒ１が任意にフッ素化された炭素原子１〜１６個を有するアルキルであり、Ａｒは１，４−フェニレン、アルコキシフェニレン、アルキルフルオレン、チオフェン−２，５−ジイル、チエノチオフェン−２，５−ジイルまたはジチエノチオフェン−２，６−ジイルであり、Ｘ１およびＸ２はＨ、ＣＮまたはＦであり、ならびにＲ４およびＲ５は相互に独立してＨ、ハロゲン、任意にフッ素化されている炭素原子を１〜１６個有するアルキル、またはＰ−Ｓｐ−である、上記の好ましい式Ｉａ〜Ｉｋから選択される繰り返し単位を含む、式ＩまたはＩ１で表されるオリゴマーおよびポリマーが特に好ましい。
【手続補正１０】
【補正対象書類名】明細書
【補正対象項目名】００３８
【補正方法】変更
【補正の内容】
【００３８】
ｎが２であり、Ｒ１が任意にフッ素化された炭素原子１〜１６個を有するアルキルであり、Ａｒは１，４−フェニレン、アルコキシフェニレン、アルキルフルオレン、チオフェン−２，５−ジイル、チエノチオフェン−２，５−ジイルまたはジチエノチオフェン−２，６−ジイルであり、Ｘ１およびＸ２はＨ、ＣＮまたはＦであり、ならびにＲ４およびＲ５の１つはＨ、ハロゲン、任意にフッ素化されている炭素原子を１〜１６個有するアルキル、またはＰ−Ｓｐ−であり、他方がＰ−Ｓｐ−である、上記の好ましい式Ｉａ〜Ｉｋから選択される繰り返し単位を含む、式ＩまたはＩ１で表される反応性モノマーがさらに好ましい。
【手続補正１１】
【補正対象書類名】明細書
【補正対象項目名】００４７
【補正方法】変更
【補正の内容】
【００４７】
スペーサー基Ｓｐとしては、本目的のために当業者に既知の全ての基を使用することができる。スペーサー基Ｓｐは、好ましくはＰ−Ｓｐ−がＰ−Ｓｐ’−Ｘ−であるような式Ｓｐ’−Ｘが好ましく、式中
Ｓｐ’は、炭素原子を２０個まで有するアルキレンであり、これは未置換またはＦ、Ｃｌ、Ｂｒ、ＩまたはＣＮにより単−または多置換されていてもよく、１種または２種以上の隣接しないＣＨ２基は、それぞれ相互に独立して、Ｏおよび／またはＳ原子が相互に直接的に連結しないものとして、−Ｏ−、−Ｓ−、−ＮＨ−、−ＮＲ０−、−ＳｉＲ０Ｒ００−、−ＣＯ−、−ＣＯＯ−、−ＯＣＯ−、−ＯＣＯ−Ｏ−、−Ｓ−ＣＯ−、−ＣＯ−Ｓ−、−ＣＨ＝ＣＨ−または−Ｃ≡Ｃ−により置き換えられられることもまた可能であり、
【手続補正１２】
【補正対象書類名】明細書
【補正対象項目名】００５５
【補正方法】変更
【補正の内容】
【００５５】
全体が部位規則性なポリ（３−アルキニルチオフェン）（１）の合成；経路２
重要な中間体２，５−ジブロモ−３−アルキニルチオフェン（４）の代替的な経路を、図式２で概説する。容易に入手できる３−ブロモチオフェンを、３−アルキニルチオフェン（５）を得るために、パラジウム触媒の存在下、亜鉛アルキニル反応剤とクロスカップリング（cross-coupled）させる。亜鉛アルキニル反応剤を形成するために、末端アルキンとブチルリチウムを処理し、その場でアルキニルリチウムを得、その後、塩化亜鉛と処理し有機亜鉛反応剤を形成する。あるいは、Sonogashira条件下で銅およびパラジウム触媒の存在により、末端アルキンと３−ブロモチオフェンをクロスカップリングさせることにより、（５）を得る。３−アルキニルチオフェンをブチルリチウムの２当量でジリチウム化し、ヨウ素または臭素源（ＮＢＳまたは四臭化炭素）でジリチウム中間体をクエンチして、２，５−ジヨード−３−アルキニルチオフェンまたは２，５−ジブロモ−３−アルキニルチオフェン（４）をそれぞれ得る。重合は、上記で記載の方法により行うことができる。
【手続補正１３】
【補正対象書類名】明細書
【補正対象項目名】００６０
【補正方法】変更
【補正の内容】
【００６０】
反応性メソゲン
重合可能な基Ｐを含む式ＩまたはＩ１で表される化合物を、以下の方法により、またはそれに類似する方法により合成しうる。
図式５によると、２−ブロモ−３−アルキニルチオフェン（６）を、ニッケル触媒の存在下アルキルグリニャール試薬とクロスカップリングさせて、保護されたモノマーアルキルアルコール（７）を得る。その後５位をブロモ化する。アリールビス有機スズまたはビスボロン酸エステルとの結合反応により、ビス−アルコール（８）を得る。所定の手法により、ビス−アルコール（８）をビス−アクリレートまたはビス−オキセタンに変換する。
【手続補正１４】
【補正対象書類名】明細書
【補正対象項目名】００６２
【補正方法】変更
【補正の内容】
【００６２】
共役基Ｃ≡Ｃ、ＣＸ１＝ＣＸ２またはＡｒを含むポリマー
２，５−ジブロモ−３−（アルキニルチオフェン）（４）とビス有機スズ反応剤（９）とのシュティレカップリングにより、ＣＸ１＝ＣＸ２基を含むポリマー（１０）を得る。４とアリールビス（有機スズ）反応剤またはアリールビスボロン酸エステルとのカップリングにより、アリール基（１１）（図式６）を含むポリマーを得る。
【手続補正１５】
【補正対象書類名】明細書
【補正対象項目名】００６６
【補正方法】変更
【補正の内容】
【００６６】
本発明のさらなる側面は、本発明による化合物および材料の酸化および還元形態の両方に関する。電子の損失または取得のいずれかにより、高い導電性の、非常に（電子が）非局在化したイオン性形態の形成をもたらす。これは、一般的なドーパントへの曝露により起こりうる。適当なトーパントおよびドーピングの方法は、たとえば、EP 0 528 662、US 5,198,153またはWO96/21659などにより、当業者に既知である。
【手続補正１６】
【補正対象書類名】明細書
【補正対象項目名】００７５
【補正方法】変更
【補正の内容】
【００７５】
液晶材料の場合、重合前に、共役pi電子システムが電荷輸送の方向と直交する、ホメオトロピック配向にその液晶状態を配列させるのが好ましい。分子間距離を最小化すると、それゆえに分子間の電荷輸送に要するエネルギーも最小化されることは確定的である。分子を、その後液晶状態の均一配向を固定するために重合または架橋する。配向および硬化を、液晶相または材料の中間相（mesophase）で行う。当該技術は、当業者に既知であり、D. J. Broer, et al., Angew. Makromol. Chem. 183, (1990), 45-66に一般的に記載される。
【手続補正１７】
【補正対象書類名】明細書
【補正対象項目名】００７９
【補正方法】変更
【補正の内容】
【００７９】
本発明の他の側面としては、上記に記載の重合または重合類似反応により、重合可能な液晶材料から得られる液晶側鎖ポリマー（ＳＣＬＣＰ）に関する。特に好ましいのは、Ｒ４およびＲ５の１つまたは両方が重合可能なまたは反応性の基である、式Ｉ１で表されるモノマーの１種または２種以上、または式Ｉ１で表されるようなモノマーの１種または２種以上を含む重合可能な混合物から得られるＳＣＬＣＰｓである。
本発明の他の側面として、Ｒ４およびＲ５の１つまたは両方が重合可能な基である、式Ｉ１で表されるモノマーの１種または２種以上、または上記に記載の重合可能な液晶混合物から、追加の１種または２種以上のメソゲンまたは非メソゲンコモノマーと、共重合または重合類似反応により得られるＳＣＬＣＰに関する。
【手続補正１８】
【補正対象書類名】明細書
【補正対象項目名】００８３
【補正方法】変更
【補正の内容】
【００８３】
本発明のモノマー、オリゴマーおよびポリマーは、光学、電子および半導体材料として有益であり、特に電界効果トランジスタ（ＦＥＴｓ）における電荷移動材料、たとえば集積回路部品、ＩＤタグまたはＴＦＴ用途に有益である。あるいは、それらをエレクトロルミネッセントディスプレイ用途または、たとえば液晶ディスプレイのバックライトにおける有機発光ダイオード（ＯＬＥＤｓ）、光起電またはセンサー材料、電子写真記録および他の半導体用途にも使用することができる。
【手続補正１９】
【補正対象書類名】明細書
【補正対象項目名】００８６
【補正方法】変更
【補正の内容】
【００８６】
セキュリティ用途では、電界効果トランジスタおよびトランジスタまたはダイオードなどの半導体材料を用いる他のデバイスを、銀行手形などの有価証券、クレジットカードもしくはＩＤカード、ナショナルＩＤドキュメント（national ID document）、免許証または切手、チケット、株券、小切手などの貨幣価値のあるものの認証および偽造の予防のための、ＩＤタグまたはセキュリティマーキングとして使用することもできる。